【手続補正書】
【提出日】平成17年1月28日(2005.1.28)
【手続補正１】
【補正対象書類名】明細書
【補正対象項目名】発明の名称
【補正方法】変更
【補正の内容】
【発明の名称】露光装置ならびに画像形成装置
【手続補正２】
【補正対象書類名】明細書
【補正対象項目名】特許請求の範囲
【補正方法】変更
【補正の内容】
【特許請求の範囲】
【請求項１】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心を通る光線が前記レンズと交わる近傍でのレンズの前記第１の方向と垂直方向の第２の方向の近軸焦点距離をＦ
とする時、
Ｆ／Ｌ  ≦  ０．２５
が満足されることを特徴とする露光装置。
【請求項２】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に、前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心を通る光が前記レンズを出射する点と前記所定の像面との間の距離をＬ３
とする時、
０．３５  ≦  Ｌ３／Ｌ  ≦  ０．６５
が満足されることを特徴とする露光装置。
【請求項３】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記回転多面鏡により前記光が偏向される偏向点から前記所定像面の有効領域中心を通る光線がｆθレンズへ入射する点との間の距離をＬ１、
前記所定像面の有効領域中心と有効領域端との間で前記光が前記偏向器により偏向される角度をΦ
とする時、
０．１５  ≦  Ｌ１×ｓｉｎΦ／Ｌ  ≦  ０．２７
が満足されることを特徴とする露光装置。
【請求項４】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記回転多面鏡により前記光が偏向される偏向点から前記所定像面の有効領域中心を通る光線がｆθレンズへ入射する点との間の距離をＬ１
とする時、
０．３  ≦  Ｌ１／Ｌ  ≦  ０．６５
が満足されることを特徴とする露光装置。
【請求項５】
複数の発光源と、
この発光源からのそれぞれの光を第１の方向に概略等角速度で偏向する回転多面鏡を含む偏向器と、
この偏向器と前記発光源との間に配置され、前記光源からのそれぞれの光に所定の特性を持たせながら前記偏向器の前記回転多面鏡へ導く偏向前光学手段と、
前記回転多面鏡により偏向されたそれぞれの光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心と有効領域端との間の距離をＷ、
前記所定像面の有効領域中心と有効領域端との間で前記それぞれの光が前記偏向器により偏向される角度をΦ
とする時、
０．８  ≦  ｔａｎ−１（Ｗ／Ｌ）／Φ  ≦  １．３
が満足されることを特徴とする露光装置。
【請求項６】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記回転多面鏡により前記光が偏向される偏向点から前記所定像面の有効領域中心を通る光線がｆθレンズへ入射する点との間の距離をＬ１、
前記所定像面の有効領域中心を通る光が前記レンズを出射する点と前記所定の像面との間の距離をＬ３
とする時、
０．１７  ≦  Ｌ１×Ｌ３／Ｌ２  ≦０．２３
が満足されることを特徴とする露光装置。
【請求項７】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記所定像面の有効領域中心と有効領域端との間で前記光が前記偏向器により偏向される角度をΦ、
前記回転多面鏡により前記光が偏向される偏向点と前記所定像面の有効領域の中心を通るときの像面間の距離をＬ、
前記所定像面の有効領域中心と有効領域端との間の距離をＷ、
前記所定像面の有効領域中心を通る光が前記レンズを出射する点と前記所定の像面との間の距離をＬ３
とする時、
φ×（Ｌ／Ｗ）／Ｌ３  ≦  ０．００９
が満足されることを特徴とする露光装置。
【請求項８】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心を通る光線が前記レンズと交わる近傍でのレンズの前記第１の方向と垂直方向の第２の方向の近軸焦点距離をＦ、
前記所定像面の有効領域中心を通る光が前記レンズを出射する点と前記所定の像面との間の距離をＬ３、
前記回転多面鏡により前記光が偏向される偏向点から前記所定像面の有効領域中心を通る光線がｆθレンズへ入射する点との間の距離をＬ１、
前記所定像面の有効領域中心と有効領域端との間で前記光が前記偏向器により偏向される角度をΦ、
前記所定像面の有効領域中心と有効領域端との間の距離をＷ、
とするとき、
Ｆ／Ｌ≦０．２５、      ０．３５  ≦  Ｌ３／Ｌ  ≦  ０．６５、
０．１５  ≦  Ｌ１×ｓｉｎΦ／Ｌ  ≦  ０．２７、
０．３  ≦  Ｌ１／Ｌ  ≦  ０．６５、
０．８  ≦  ｔａｎ−１（Ｗ／Ｌ）Φ  ≦  １．３、
０．１７  ≦  Ｌ１×Ｌ３／Ｌ２  ≦  ０．２３、および
φ×（Ｌ／Ｗ）／Ｌ３  ≦  ０．００９
が満足されることを特徴とする露光装置。
【請求項９】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心を通る光線が前記レンズと交わる近傍でのレンズの前記第１の方向と垂直方向の第２の方向の近軸焦点距離をＦ、
前記所定像面の有効領域中心を通る光が前記レンズを出射する点と前記所定の像面との間の距離をＬ３、
前記回転多面鏡により前記光が偏向される偏向点から前記所定像面の有効領域中心を通る光線がｆθレンズへ入射する点との間の距離をＬ１、
前記所定像面の有効領域中心と有効領域端との間で前記光が前記偏向器により偏向される角度をΦ、
前記所定像面の有効領域中心と有効領域端との間の距離をＷ、
とするとき、
Ｆ／Ｌ≦０．２５、
０．３５  ≦  Ｌ３／Ｌ  ≦  ０．６５、
０．１５  ≦  Ｌ１×ｓｉｎΦ／Ｌ  ≦  ０．２７、
０．３  ≦  Ｌ１／Ｌ  ≦  ０．６５、
０．８  ≦  ｔａｎ−１（Ｗ／Ｌ）Φ  ≦  １．３、
０．１７  ≦  Ｌ１×Ｌ３／Ｌ２  ≦  ０．２３、および
φ×（Ｌ／Ｗ）／Ｌ３  ≦  ０．００９
の少なくとも２つが満足されることを特徴とする露光装置。
【請求項１０】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心を通る光線が前記レンズと交わる近傍でのレンズの前記第１の方向と垂直方向の第２の方向の近軸焦点距離をＦ、
前記所定像面の有効領域中心を通る光が前記レンズを出射する点と前記所定の像面との間の距離をＬ３、
前記回転多面鏡により前記光が偏向される偏向点から前記所定像面の有効領域中心を通る光線がｆθレンズへ入射する点との間の距離をＬ１、
前記所定像面の有効領域中心と有効領域端との間で前記光が前記偏向器により偏向される角度をΦ、
前記所定像面の有効領域中心と有効領域端との間の距離をＷ、
とするとき、
Ｆ／Ｌ≦０．２５、
０．３５  ≦  Ｌ３／Ｌ  ≦  ０．６５、
０．１５  ≦  Ｌ１×ｓｉｎΦ／Ｌ  ≦  ０．２７、
０．３  ≦  Ｌ１／Ｌ  ≦  ０．６５、
０．８  ≦  ｔａｎ−１（Ｗ／Ｌ）Φ  ≦  １．３、
０．１７  ≦  Ｌ１×Ｌ３／Ｌ２  ≦  ０．２３、および
φ×（Ｌ／Ｗ）／Ｌ３  ≦  ０．００９
の任意の組み合わせが満足されることを特徴とする露光装置。
【請求項１１】
前記発光源は、少なくとも２以上の光源を含むことを特徴とする請求項１ないし４および６ないし１０のいづれかに記載の露光装置。
【請求項１２】
発光源と、
この発光源からの光を第１の方向に概略等角速度で偏向する回転多面鏡を含む偏向器と、
この偏向器と前記発光源との間に配置され、前記光源からの光に所定の特性を持たせながら前記偏向器の前記回転多面鏡へ導く偏向前光学手段と、
前記回転多面鏡により偏向された光を所定の像面に前記回転多面鏡の回転量と前記第１の方向の距離が比例するよう、等速度で結像させる１枚のみレンズと、
を有する露光装置において、
前記レンズのレンズ面は、対称面を１面のみ持ち、前記対称面とレンズ面との交わる交線が非対称となるように形成され、
前記回転多面鏡により前記光が偏向される偏向点と前記所定像面の有効領域の中心を通るときの像面間の距離をＬ、
前記所定像面の有効領域中心を通る光線が前記レンズと交わる近傍でのレンズの前記第１の方向と垂直方向の第２の方向の近軸焦点距離をＦ、
前記所定像面の有効領域中心を通る光が前記レンズを出射する点と前記所定の像面との間の距離をＬ３、
前記回転多面鏡により前記光が偏向される偏向点から前記所定像面の有効領域中心を通る光線がｆθレンズへ入射する点との間の距離をＬ１、
前記所定像面の有効領域中心と有効領域端との間で前記光が前記偏向器により偏向される角度をΦ、
前記所定像面の有効領域中心と有効領域端との間の距離をＷ、
とするとき、
Ｆ／Ｌ≦０．２５、
０．３５  ≦  Ｌ３／Ｌ  ≦  ０．６５、
０．１５  ≦  Ｌ１×ｓｉｎΦ／Ｌ  ≦  ０．２７、
０．３  ≦  Ｌ１／Ｌ  ≦  ０．６５、
０．８  ≦  ｔａｎ−１（Ｗ／Ｌ）Φ  ≦  １．３、
０．１７  ≦  Ｌ１×Ｌ３／Ｌ２  ≦  ０．２３、および
φ×（Ｌ／Ｗ）／Ｌ３  ≦  ０．００９
が満足されることを特徴とする露光装置と、
この露光装置により像担持体に形成された潜像を現像する現像装置と、
この現像装置により現像された現像剤像を被転写材に転写する転写装置と、
を有することを特徴とする画像形成装置。
【手続補正３】
【補正対象書類名】明細書
【補正対象項目名】０００７
【補正方法】変更
【補正の内容】
【０００７】
【課題を解決するための手段】
この発明は、上記した問題点に基づきなされたもので、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心を通る光線が前記レンズと交わる近傍でのレンズの前記第１の方向と垂直方向の第２の方向の近軸焦点距離をＦとする時、  
Ｆ／Ｌ  ≦  ０．２５  
が満足されることを特徴とする露光装置を提供するものである。
【手続補正４】
【補正対象書類名】明細書
【補正対象項目名】０００８
【補正方法】変更
【補正の内容】
【０００８】
また、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に、前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心を通る光が前記レンズを出射する点と前記所定の像面との間の距離をＬ３とする時、  
０．３５  ≦  Ｌ３／Ｌ  ≦  ０．６５  
が満足されることを特徴とする露光装置を提供するものである。
【手続補正５】
【補正対象書類名】明細書
【補正対象項目名】０００９
【補正方法】変更
【補正の内容】
【０００９】
さらに、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記回転多面鏡により前記光が偏向される偏向点から前記所定像面の有効領域中心を通る光線がｆθレンズへ入射する点との間の距離をＬ１、前記所定像面の有効領域中心と有効領域端との間で前記光が前記偏向器により偏向される角度をΦとする時、  
０．１５  ≦  Ｌ１×ｓｉｎΦ／Ｌ  ≦  ０．２７  
が満足されることを特徴とする露光装置を提供するものである。
【手続補正６】
【補正対象書類名】明細書
【補正対象項目名】００１０
【補正方法】変更
【補正の内容】
【００１０】
またさらに、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記回転多面鏡により前記光が偏向される偏向点から前記所定像面の有効領域中心を通る光線がｆθレンズへ入射する点との間の距離をＬ１とする時、  
０．３  ≦  Ｌ１／Ｌ  ≦  ０．６５  
が満足されることを特徴とする露光装置を提供するものである。
【手続補正７】
【補正対象書類名】明細書
【補正対象項目名】００１１
【補正方法】変更
【補正の内容】
【００１１】
さらにまた、この発明は、複数の発光源と、この発光源からのそれぞれの光を第１の方向に概略等角速度で偏向する回転多面鏡を含む偏向器と、この偏向器と前記発光源との間に配置され、前記光源からのそれぞれの光に所定の特性を持たせながら前記偏向器の前記回転多面鏡へ導く偏向前光学手段と、前記回転多面鏡により偏向されたそれぞれの光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心と有効領域端との間の距離をＷ、前記所定像面の有効領域中心と有効領域端との間で前記それぞれの光が前記偏向器により偏向される角度をΦとする時、  
０．８  ≦  ｔａｎ−１（Ｗ／Ｌ）／Φ  ≦  １．３  
が満足されることを特徴とする露光装置を提供するものである。
【手続補正８】
【補正対象書類名】明細書
【補正対象項目名】００１２
【補正方法】変更
【補正の内容】
【００１２】
またさらに、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記回転多面鏡により前記光が偏向される偏向点から前記所定像面の有効領域中心を通る光線がｆθレンズへ入射する点との間の距離をＬ１、前記所定像面の有効領域中心を通る光が前記レンズを出射する点と前記所定の像面との間の距離をＬ３とする時、  
０．１７  ≦  Ｌ１×Ｌ３／Ｌ２  ≦０．２３  
が満足されることを特徴とする露光装置を提供するものである。
【手続補正９】
【補正対象書類名】明細書
【補正対象項目名】００１３
【補正方法】変更
【補正の内容】
【００１３】
さらにまた、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記所定像面の有効領域中心と有効領域端との間で前記光が前記偏向器により偏向される角度をΦ、前記回転多面鏡により前記光が偏向される偏向点と前記所定像面の有効領域の中心を通るときの像面間の距離をＬ、前記所定像面の有効領域中心と有効領域端との間の距離をＷ、前記所定像面の有効領域中心を通る光が前記レンズを出射する点と前記所定の像面との間の距離をＬ３とする時、  
φ×（Ｌ／Ｗ）／Ｌ３  ≦  ０．００９  
が満足されることを特徴とする露光装置を提供するものである。
【手続補正１０】
【補正対象書類名】明細書
【補正対象項目名】００１４
【補正方法】変更
【補正の内容】
【００１４】
またさらに、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心を通る光線が前記レンズと交わる近傍でのレンズの前記第１の方向と垂直方向の第２の方向の近軸焦点距離をＦ、前記所定像面の有効領域中心を通る光が前記レンズを出射する点と前記所定の像面との間の距離をＬ３、前記回転多面鏡により前記光が偏向される偏向点から前記所定像面の有効領域中心を通る光線がｆθレンズへ入射する点との間の距離をＬ１、前記所定像面の有効領域中心と有効領域端との間で前記光が前記偏向器により偏向される角度をΦ、前記所定像面の有効領域中心と有効領域端との間の距離をＷ、とするとき、  
Ｆ／Ｌ≦０．２５、      ０．３５  ≦  Ｌ３／Ｌ  ≦  ０．６５、  
０．１５  ≦  Ｌ１×ｓｉｎΦ／Ｌ  ≦  ０．２７、  
０．３  ≦  Ｌ１／Ｌ  ≦  ０．６５、  
０．８  ≦  ｔａｎ−１（Ｗ／Ｌ）Φ  ≦  １．３、  
０．１７  ≦  Ｌ１×Ｌ３／Ｌ２  ≦  ０．２３、および  
φ×（Ｌ／Ｗ）／Ｌ３  ≦  ０．００９  
が満足されることを特徴とする露光装置を提供するものである。
【手続補正１１】
【補正対象書類名】明細書
【補正対象項目名】００１５
【補正方法】変更
【補正の内容】
【００１５】
さらにまた、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心を通る光線が前記レンズと交わる近傍でのレンズの前記第１の方向と垂直方向の第２の方向の近軸焦点距離をＦ、前記所定像面の有効領域中心を通る光が前記レンズを出射する点と前記所定の像面との間の距離をＬ３、前記回転多面鏡により前記光が偏向される偏向点から前記所定像面の有効領域中心を通る光線がｆθレンズへ入射する点との間の距離をＬ１、前記所定像面の有効領域中心と有効領域端との間で前記光が前記偏向器により偏向される角度をΦ、前記所定像面の有効領域中心と有効領域端との間の距離をＷ、とするとき、  
Ｆ／Ｌ≦０．２５、  
０．３５  ≦  Ｌ３／Ｌ  ≦  ０．６５、  
０．１５  ≦  Ｌ１×ｓｉｎΦ／Ｌ  ≦  ０．２７、  
０．３  ≦  Ｌ１／Ｌ  ≦  ０．６５、  
０．８  ≦  ｔａｎ−１（Ｗ／Ｌ）Φ  ≦  １．３、  
０．１７  ≦  Ｌ１×Ｌ３／Ｌ２  ≦  ０．２３、および  
φ×（Ｌ／Ｗ）／Ｌ３  ≦  ０．００９  
の少なくとも２つが満足されることを特徴とする露光装置を提供するものである。
【手続補正１２】
【補正対象書類名】明細書
【補正対象項目名】００１６
【補正方法】変更
【補正の内容】
【００１６】
またさらに、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心を通る光線が前記レンズと交わる近傍でのレンズの前記第１の方向と垂直方向の第２の方向の近軸焦点距離をＦ、前記所定像面の有効領域中心を通る光が前記レンズを出射する点と前記所定の像面との間の距離をＬ３、前記回転多面鏡により前記光が偏向される偏向点から前記所定像面の有効領域中心を通る光線がｆθレンズへ入射する点との間の距離をＬ１、前記所定像面の有効領域中心と有効領域端との間で前記光が前記偏向器により偏向される角度をΦ、前記所定像面の有効領域中心と有効領域端との間の距離をＷ、とするとき、  
Ｆ／Ｌ≦０．２５、  
０．３５  ≦  Ｌ３／Ｌ  ≦  ０．６５、  
０．１５  ≦  Ｌ１×ｓｉｎΦ／Ｌ  ≦  ０．２７、  
０．３  ≦  Ｌ１／Ｌ  ≦  ０．６５、  
０．８  ≦  ｔａｎ−１（Ｗ／Ｌ）Φ  ≦  １．３、  
０．１７  ≦  Ｌ１×Ｌ３／Ｌ２  ≦  ０．２３、および  
φ×（Ｌ／Ｗ）／Ｌ３  ≦  ０．００９  
の任意の組み合わせが満足されることを特徴とする露光装置を提供するものである。
【手続補正１３】
【補正対象書類名】明細書
【補正対象項目名】００１７
【補正方法】変更
【補正の内容】
【００１７】
さらにまた、この発明は、発光源と、この発光源からの光を第１の方向に概略等角速度で偏向する回転多面鏡を含む偏向器と、この偏向器と前記発光源との間に配置され、前記光源からの光に所定の特性を持たせながら前記偏向器の前記回転多面鏡へ導く偏向前光学手段と、前記回転多面鏡により偏向された光を所定の像面に前記回転多面鏡の回転量と前記第１の方向の距離が比例するよう、等速度で結像させる１枚のみレンズと、を有する露光装置において、前記レンズのレンズ面は、対称面を１面のみ持ち、前記対称面とレンズ面との交わる交線が非対称となるように形成され、前記回転多面鏡により前記光が偏向される偏向点と前記所定像面の有効領域の中心を通るときの像面間の距離をＬ、前記所定像面の有効領域中心を通る光線が前記レンズと交わる近傍でのレンズの前記第１の方向と垂直方向の第２の方向の近軸焦点距離をＦ、前記所定像面の有効領域中心を通る光が前記レンズを出射する点と前記所定の像面との間の距離をＬ３、前記回転多面鏡により前記光が偏向される偏向点から前記所定像面の有効領域中心を通る光線がｆθレンズへ入射する点との間の距離をＬ１、前記所定像面の有効領域中心と有効領域端との間で前記光が前記偏向器により偏向される角度をΦ、前記所定像面の有効領域中心と有効領域端との間の距離をＷ、とするとき、  
Ｆ／Ｌ≦０．２５、  
０．３５  ≦  Ｌ３／Ｌ  ≦  ０．６５、  
０．１５  ≦  Ｌ１×ｓｉｎΦ／Ｌ  ≦  ０．２７、  
０．３  ≦  Ｌ１／Ｌ  ≦  ０．６５、  
０．８  ≦  ｔａｎ−１（Ｗ／Ｌ）Φ  ≦  １．３、  
０．１７  ≦  Ｌ１×Ｌ３／Ｌ２  ≦  ０．２３、および  
φ×（Ｌ／Ｗ）／Ｌ３  ≦  ０．００９  
が満足されることを特徴とする露光装置と、この露光装置により像担持体に形成された潜像を現像する現像装置と、この現像装置により現像された現像剤像を被転写材に転写する転写装置と、を有することを特徴とする画像形成装置を提供するものである。